(57)【要約】【課題】少ない部品数で簡単に組み立てられ、常用時の光源および非常用光源の各々の配光が遮られることがない照明器具を提供することを目的とする。【解決手段】照明器具１は、取付面部５００に取り付けられる器具本体１０と、器具本体１０を覆って器具本体１０に取り付けられた本体カバー２０とを備える。本体カバー２０は、長尺の第１の光源部３０を取り付けた長尺の正面部２１０を備える。また、本体カバー２０は、正面部２１０の短手方向の一方の端部に正面部２１０の長手方向に沿って形成され、第１の光源部３０の照射方向から離れる方向に傾斜しており、第１の光源部３０より小さい第２の光源部４０を取り付けた長尺の斜面部２１１を有する。【選択図】図１
2019125419.tif 000002
【特許請求の範囲】
【請求項１】
取付面部に取り付けられる器具本体と、
前記器具本体を覆って前記器具本体に取り付けられた本体カバーと
を備え、
前記本体カバーは、
長尺の第１の光源部を取り付けた長尺の正面部と、前記正面部の短手方向の一方の端部に前記正面部の長手方向に沿って形成され、前記第１の光源部の照射方向から離れる方向に傾斜しており、前記第１の光源部より小さい第２の光源部を取り付けた長尺の斜面部とを有する照明器具。
【請求項２】
前記第２の光源部は、少なくとも２つの第２の光源部を備え、
前記２つの第２の光源部の一方の第２の光源部は、前記斜面部の長手方向の一端部に配置され、前記２つの第２の光源部の他方の第２の光源部は、前記斜面部の長手方向の他端部に配置された請求項１に記載の照明器具。
【請求項３】
前記斜面部は、前記正面部に対して３０度以上４５度以下の角度で傾いている請求項２に記載の照明器具。
【請求項４】
前記照明器具は、人感センサを備え、
前記人感センサは、
前記斜面部の長手方向の中央部に配置された請求項２または３に記載の照明器具。
【請求項５】
前記器具本体は、
取付面部に取り付けられた長尺の本体部と、
前記本体部に配置され、常用時に前記第１の光源部に電源を供給する電源線を接続する端子台と、
前記本体部に配置され、前記電源線から供給される電源を蓄電し、非常時に前記２つの第２の光源部に電源を供給するバッテリーと
を備え、
前記本体カバーは、
前記本体部と前記端子台と前記バッテリーを覆っている請求項２から４のいずれか１項に記載の照明器具。
【請求項６】
前記本体カバーは、
前記正面部を開口部分とする溝部を備え、
前記溝部は、
前記本体カバーを前記器具本体に取り付けた際に、前記端子台と前記バッテリーを露出させる作業用開口が底部に形成され、
前記バッテリーは、
前記第１の光源部が前記正面部に取り付けられた際に、前記第１の光源部の長手方向の両端部の各々の外側に配置されている請求項５に記載の照明器具。
【請求項７】
前記器具本体は、
前記本体部に配置され、前記第２の光源部を点灯させる非常用制御ユニットを備え、
前記非常用制御ユニットは、
前記本体カバーが前記器具本体に取り付けられると、前記斜面部の内側に配置される請求項５または６に記載の照明器具。
【発明の詳細な説明】
【技術分野】
【０００１】
本発明は、常用時に点灯する光源と非常時に点灯する光源とを備えた照明器具に関する。
【背景技術】
【０００２】
特許文献１には、階段の踊り場といった避難経路に設置される照明器具が開示されている。特許文献１の照明器具では、常用時に点灯する光源とは別に、非常時に点灯する非常用光源を備えている。
【先行技術文献】
【特許文献】
【０００３】
【特許文献１】特開２０１７−０５０２５７号公報
【発明の概要】
【発明が解決しようとする課題】
【０００４】
特許文献１の照明器具では、非常用光源ユニットの取付台の側壁により、非常用光源の配光が遮られる虞があるという課題がある。
【０００５】
本発明は、常用時の光源および非常用光源の各々の配光が遮られることがない照明器具を提供することを目的とする。
【課題を解決するための手段】
【０００６】
本発明に係る照明器具は、取付面部に取り付けられる器具本体と、前記器具本体を覆って前記器具本体に取り付けられた本体カバーとを備え、前記本体カバーは、長尺の第１の光源部を取り付けた長尺の正面部と、前記正面部の短手方向の一方の端部に前記正面部の長手方向に沿って形成され、前記第１の光源部の照射方向から離れる方向に傾斜しており、前記第１の光源部より小さい第２の光源部を取り付けた長尺の斜面部とを有する。
【発明の効果】
【０００７】
本発明に係る照明器具は、器具本体は、取付面部に取り付けられる。本体カバーは、器具本体を覆って器具本体に取り付けられる。また、本体カバーは、長尺の第１の光源部を取り付けた長尺の正面部と、正面部の短手方向の一方の端部に正面部の長手方向に沿って形成された長尺の斜面部とを有する。斜面部は、第１の光源部の照射方向から離れる方向に傾斜しており、第１の光源部より小さい第２の光源部を取り付けている。本発明に係る照明器具によれば、第１の光源部および第２の光源部の各々の配光が遮られることがない照明器具を提供することができる。
【図面の簡単な説明】
【０００８】
【図１】実施の形態１における照明器具１の斜視図。
【図２】実施の形態１における照明器具１の三面図。
【図３】実施の形態１における照明器具１であり、（ａ）が側面図、（ｂ）が側断面図。
【図４】実施の形態１における照明器具１の詳細分解斜視図。
【図５】実施の形態１における照明器具１の分解斜視図。
【図６】実施の形態１における第１の光源部３０の前面斜視図。
【図７】実施の形態１における第１の光源部３０の背面斜視図。
【図８】実施の形態１における第１の光源部３０の分解斜視図。
【発明を実施するための形態】
【０００９】
以下、本発明の実施の形態について、図を用いて説明する。なお、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、あるいは部品の配置および向きを限定するものではない。
【００１０】
実施の形態１．
＊＊＊構成の説明＊＊＊
図１は、本実施の形態における照明器具１の斜視図である。
図２は、本実施の形態における照明器具１の三面図である。
図３は、本実施の形態における照明器具１であり、（ａ）が側面図、（ｂ）が側断面図である。
図４は、本実施の形態における照明器具１の詳細分解斜視図である。
図５は、本実施の形態における照明器具１の分解斜視図である。
【００１１】
本実施の形態に係る照明器具１は、例えば、建物の避難経路となる階段の踊り場の壁面あるいは天井面に設置される照明器具である。照明器具１が取り付けられる壁面あるいは天井面を取付面部５００とする。
図１から図３に示すように、照明器具１は、器具本体１０と、本体カバー２０と、第１の光源部３０と、第２の光源部４０とを備える。
器具本体１０は、取付面部５００に取り付けられる。器具本体１０は、壁面あるいは天井面といった取付面部５００に固定される部材であり、長尺形状を成す。本体カバー２０は、器具本体１０を覆って器具本体１０に取り付けられる。本体カバー２０は、長尺形状を成し、器具本体１０の前面側に固定される。本体カバー２０は、器具外郭および意匠部を兼ねている。第１の光源部３０は、長尺の光源ユニットであり、本体カバー２０に取り付けられる。第２の光源部４０は、第１の光源部３０より小さい光源ユニットであり、本体カバー２０に取り付けられる。
【００１２】
＜器具本体１０＞
図４に示すように、器具本体１０は、本体部１１０を備える。本体部１１０には、端子台１３０、非常用制御ユニット１４０、人感センサ１５０、センサ制御ユニット１６０、バッテリー１７０、点検スイッチ１８０、およびインジケータ１９０といった機器が配置される。これらの機器は、本体部１１０に配置され、照明器具１の内部に収容される。
【００１３】
本体部１１０は、長尺を成し、取付面部５００に取り付けられる。本体部１１０は、図３の（ｂ）および図４に示すように、短手方向視において略コの字状をしている。本体部１１０は、壁面である取付面部５００に取り付けられる本体底面部１１１と、本体底面部１１１の上端から本体底面部１１１と略垂直に突設する上側面部１１２と、本体底面部１１１の下端から本体底面部１１１と略垂直に突設し、上側面部１１２より短い下側面部１１３とを有する。天井面を取付面部５００とした場合、上側面部１１２が天井面に取り付けられる。本実施の形態では、照明器具１が壁面といった取付面部５００に取り付けられるものとして説明する。
本体底面部１１１は、本体部１１０を取付面部５００に取り付けるための取付孔１１１ａと、商用電源から電力供給を受けるために電源線を引き込む電源孔１１１ｂが設けられている。取付孔１１１ａの前面側には、取付孔１１１ａを覆うカバー取付台１５１が設けられる。カバー取付台１５１の上面部には本体カバー２０の底部２１４が当接して固定される。また、カバー取付台１５１の上面部には取付孔１１１ａと連通する台取付孔１２２ａが形成される。また、本体部１１０は、略コの字状でなくともよく、下側面部１１３を有さない略Ｌ字状でもよい。
【００１４】
＜＜器具本体１０に配置される機器の説明＞＞
端子台１３０は、本体部１１０に配置され、常用時に第１の光源部３０に電源を供給する電源線を接続する。端子台１３０には、電源孔１１１ｂに挿通された電源線が接続される。また、図示はないが、端子台１３０には、第１の光源部３０の電源装置２４０、非常用制御ユニット１４０、およびセンサ制御ユニット１６０といった機器に給電するための給電線が接続される。
【００１５】
非常用制御ユニット１４０は、本体部１１０に配置され、第２の光源部４０を点灯させる。非常用制御ユニット１４０は、本体カバー２０が器具本体１０に取り付けられるとともに、斜面部２１１の内側に配置される。
非常用制御ユニット１４０は、充電回路と、切替部と、非常用点灯回路とを備える。充電回路は、商用電源から供給される電力をバッテリー１７０に供給し、バッテリー１７０を充電させる。切替部は、商用電源からの給電状況に応じて、バッテリーを充電回路に接続する状態と、バッテリー１７０を非常用点灯回路に接続する状態とを択一的に切り替える。バッテリーを充電回路に接続する状態を非停電状態あるいは常用時という。また、バッテリー１７０を非常用点灯回路に接続する状態を停電状態あるいは非常時という。非常用点灯回路は、非常時にバッテリー１７０からの電力供給を受け第２の光源部４０を点灯させる。非常用制御ユニット１４０は、非常時に点灯する第２の光源部４０と接続される。
【００１６】
人感センサ１５０は、斜面部２１１の長手方向の中央部に配置されている。人感センサ１５０は、ＳＨＦ帯のマイクロ波を送信し、かつ、物体に反射した反射波を受信し、ドップラー効果に起因した送信波と受信波（反射波）との周波数差に基づいて移動体を検出する。そして、人感センサ１５０は、人あるいは開閉される扉といった移動体を検出したときに検出信号をセンサ制御ユニット１６０に出力する。ただし、人感センサ１５０として、マイクロ波および反射波のような電波の代わりに超音波の送受波によって移動体を検出するものを用いてもよい。また、赤外線といった熱源を検知する焦電センサを用いてもよい。
【００１７】
センサ制御ユニット１６０は、人感センサ１５０から検出信号が出力されていない場合、第１の光源部３０を点灯させる電源装置２４０を停止させて第１の光源部３０を消灯させるか、あるいは、定格よりも十分に少ない電力を供給させて第１の光源部３０調光点灯させる。なお、電源装置２４０が第１の光源部３０を調光点灯する方法としては、電流値、すなわち振幅値を変化させる方法、あるいは、電流を供給する期間を変化させて単位時間当たりの供給電力を増減する方法がある。
また人感センサ１５０から検出信号が出力された場合、センサ制御ユニット１６０は、電源装置２４０を制御して定格出力を供給させることにより、第１の光源部３０を定格点灯させる。また、センサ制御ユニット１６０は、人感センサ１５０から検出信号が出力されなくなった時点から所定の待機時間が経過したら、電源装置２４０を制御して第１の光源部３０を消灯または調光点灯させる。ただし、待機時間内に再度検出信号が出力された場合、センサ制御ユニット１６０は待機時間の計時をリセットし、第１の光源部３０を定格点灯させ続ける。
【００１８】
バッテリー１７０は、本体部１１０に配置され、電源線から供給される電源を蓄電し、非常時に第２の光源部４０に電源を供給する。バッテリー１７０は、非常用制御ユニット１４０を介して供給される電力を蓄える。また、バッテリー１７０は、非常時には、非常用制御ユニット１４０に電力を供給し、第２の光源部４０を点灯させる。
【００１９】
点検スイッチ１８０は、非常用制御ユニット１４０の切替部を強制的に非停電状態に切り替え、非常用点灯回路が正常に動作することを確認する作業、すなわち点検作業に用いられる。インジケータ１９０は、バッテリー１７０の充電状態を示す。
点検スイッチ１８０およびインジケータ１９０は、本体底面部１１１において斜面部２１１の内側に対応する位置に、取付部材１８９により固定される。点検スイッチ１８０は、斜面部２１１に形成されたスイッチ用開口２１１ｂから露出する。また、インジケータ１９０から発せられる光はインジケータ用開口２１１ｃから作業者により視認可能である。
【００２０】
＜本体カバー２０＞
本体カバー２０は、正面部２１０と、斜面部２１１とを有する。正面部２１０は、長尺を成し、長尺の第１の光源部３０を取り付ける。また、斜面部２１１は、正面部２１０の短手方向の一方の端部である下端部２１０ｅに正面部２１０の長手方向に沿って形成され、第１の光源部３０の照射方向から離れる方向に傾斜している。図３の（ｂ）に示すように、第１の光源部３０の照射方向から離れる方向とは、照明器具１の前面側から背面側に向かう取付方向である。図１に示すように、斜面部２１１は、長尺を成し、第１の光源部３０より小さい第２の光源部４０を取り付ける。照明器具１は、第２の光源部として、少なくとも２つの第２の光源部４０を備える。本実施の形態では、照明器具１は、２つの第２の光源部４０を備えている。２つの第２の光源部の一方の第２の光源部４０は、斜面部２１１の長手方向の一端部に配置される。また、２つの第２の光源部の他方の第２の光源部４０は、斜面部２１１の長手方向の他端部に配置される。
【００２１】
図３の（ａ）に示すように、本体カバー２０は、短手方向視において略五角形状もしくは台形といった多角形形状を成す。また、図３の（ｂ）および図４に示すように、本体カバー２０は、正面部２１０を開口部分とする溝部２５０を備える。溝部２５０は、第１の光源部３０を取り付ける開口である取付開口２１０ａを形成する。取付開口２１０ａの開口面が正面部２１０となる。溝部２５０の下方には斜面部２１１が形成される。
【００２２】
溝部２５０は、溝の底部分となる底部２１４と、上面部２１２と、下面部２１３とを有する。溝部２５０の底部２１４には、本体カバー２０を器具本体１０に取り付けた際に、端子台１３０および２つのバッテリー１７０といった機器を露出させる作業用開口２１０ｄが形成される。
正面部２１０および底部２１４は、器具本体１０の本体底面部１１１に対して略平行となる。図４および図５に示すように、底部２１４には、本体カバー２０が器具本体１０に取り付けられた際に、バッテリー１７０といった部品を露出させる第１孔２１０１が長手方向の両端部に形成される。また、底部２１４には、端子台１３０といった部品を露出させる第２孔２１０２が長手方向の中央部に形成される。また、第１孔２１０１と第２孔２１０２との間に、本体カバーの取付孔１１１ａおよび台取付孔１２２ａと連通する第３孔２１０３が形成される。第１孔２１０１および第２孔２１０２は、本体部１１０に配されたバッテリー１７０、端子台１３０、あるいは電源孔１１１ｂに対して作業者が容易に作業できるような作業用開口２１０ｄである。また、第３孔２１０３は、本体部１１０に配された取付孔１１１ａに対して作業者が容易に作業できるような作業用開口２１０ｄである。
上面部２１２は、底部２１４の上端から、底部２１４に対して垂直もしくは傾斜をもたせて形成される。下面部２１３は、底部２１４の下端から、正面部２１０に対して垂直もしくは傾斜をもたせて形成される。
【００２３】
斜面部２１１は、下面部２１３の先端、すなわち下端部２１０ｅから背面方向、すなわち取付方向に傾斜している。図３の（ａ）に示すように、斜面部２１１の傾斜角θは、正面部２１０に対して、例えば、約３０°から約４５°の角度を有する。斜面部２１１は、正面部２１０の長手方向に沿って長尺に形成される。図３の（ａ）および（ｂ）に示すように、斜面部２１１は、表面が下方に向くように傾斜した平面板であり、第２の光源部４０以外に表面から突出するものはない。また、斜面部２１１は、第２の光源部４０が正面部２１０の延長面（傾斜角θが０°の面）より突出しないように傾斜している。したがって、第２の光源部４０の配光を遮らない構成となっている。
第２の光源部４０は、斜面部２１１の長手方向の両端部の内側に配置される。斜面部２１１の長手方向の両端部には、第２の光源部４０の光学制御部であるレンズ４１０の一部を器具外郭から露出させるための開口部２１１ａが形成される。また、斜面部２１１の長手方向の中央部には、人感センサ１５０の一部を器具外郭から露出させる開口部２１１ｆが形成される。また、斜面部２１１には、インジケータ１９０と点検スイッチ１８０を露出させる開口であるスイッチ用開口２１１ｂとインジケータ用開口２１１ｃが形成される。
【００２４】
本体カバー２０は、本体カバー２０の長手方向を切った断面に合わせた形状となるカバー端板２２０を、長手方向両端に有する。また、本体カバー２０は、正面部２１０の取付開口２１０ａの一部を覆う化粧板部２３０を、正面部２１０の取付開口２１０ａの長手方向両端に有する。化粧板部２３０は、正面を向いており、表面は階段の階数表示のような表示面として利用できる。例えば、図２の左側の化粧板部２３０には「１Ｆ」と表示し、図２の右側の化粧板部２３０には「２Ｆ」と表示できる。
取付開口２１０ａには、長尺の第１の光源部３０が配置される。第１の光源部３０は、取付開口２１０ａの中央部分を塞ぐように配置される。図５に示すように、取付開口２１０ａにおいて第１の光源部３０が配置されない両側の端部は、化粧板部２３０が嵌め込まれることにより塞がれる。図４に示すように、化粧板部２３０は、溝部２５０に設けられた取付台２３１および取付爪２３２と係り合うことにより取付開口２１０ａに嵌め込まれる。
図４および図５に示すように、２つのバッテリー１７０は本体底面部１１１の長手方向の両端部に設置され、第１孔２１０１から露出して溝部２５０の内部に配される。２つのバッテリー１７０の各々は、２つの第２の光源部４０の各々に対応し、非常時に電力を供給する。２つのバッテリー１７０は、第１の光源部３０が正面部２１０に取り付けられた際に、第１の光源部３０の長手方向の両端部の各々の外側に配置されている。２つの化粧板部２３０は、溝部２５０の長手方向両端に配されている２つバッテリー１７０の各々を覆うように取り付けられる。このように、本体カバー２０は、本体部１１０と端子台１３０と２つのバッテリー１７０とを覆っている。
【００２５】
＜照明器具１の内部の構成＞
器具本体１０と本体カバー２０とを組み合わせた場合の照明器具１の内部の構成について説明する。
図３の（ｂ）に示すように、器具本体１０に本体カバー２０が取り付けられると、照明器具１の内部には、点線で囲まれた第１収容部１１と、第１収容部１１の下方で点線に囲まれた第２収容部１２とが形成される。第１収容部１１は、本体底面部１１１から正面部２１０に渡って形成される空間である。また、第２収容部１２は、本体底面部１１１と斜面部２１１の間の空間である。
第１収容部１１には、端子台１３０およびバッテリー１７０といった部品が配設される。また、第２収容部１２には人感センサ１５０、センサ制御ユニット１６０、非常用制御ユニット１４０、点検スイッチ１８０、およびインジケータ１９０といった部品が配置される。第２収容部１２に、人感センサ１５０、センサ制御ユニット１６０、非常用制御ユニット１４０、点検スイッチ１８０、およびインジケータ１９０を配置することで、第１収容部１１に、電源線および給電線といった電線を配置することができる。電源線は、端子台１３０に外部から引き込まれ、商用電源の供給を受けるための電線である。給電線は、端子台１３０と、センサ制御ユニット１６０あるいは第１の光源部３０の電源装置２４０と接続する電線である。なお、端子台１３０は電源装置２４０と着脱自在に接続する端子台接続部１３１（図示なし）を有し、センサ制御ユニット１６０は、電源装置２４０と着脱自在に接続するセンサ接続部（図示なし）を有している。
【００２６】
本実施の形態では、バッテリー１７０は、第１の光源部３０から器具本体１０の長手方向端部にずらした位置に配される。バッテリー１７０が第１の光源部３０から器具本体１０の長手方向端部にずらした位置へ配される場合、化粧板部２３０がカバー構造となっており、作業者は化粧板部２３０を外すことでバッテリー１７０を着脱操作することができる。よって、第１の光源部３０を外すことなくバッテリー交換が可能となる。
【００２７】
照明器具１を壁面といった取付面部５００に取り付けた状態であれば、第１の光源部３０は取付面部５００に対して略平行に、かつ、床面に対して略垂直方向に配される。また、第２の光源部４０は、床面に対して約３０°から約４５°の角度となる斜面部２１１に沿った方向に配される。
そのため、第１の光源部３０は、第２の光源部４０により遮られることなく広範囲を照射できる。また、第２の光源部４０は、階段であれば下り階段と踊り場を必要照度で照射することができる。
また、照明器具１を取付面部５００に対し垂直投影して見たときに、第１の光源部３０と第２の光源部４０は同列とはならない箇所に配置される。さらに水平方向で３ｃｍ以上離間させることで、各々の配光範囲に影響を与えることがない。すなわち、図２のＬ１の長さを３ｃｍ以上とすることが好ましい。また、正面部２１０に取り付けられた第１の光源部３０の両端部の外側において、第２の光源部４０の上方となる化粧板部２３０には、階段の階数表示といった表示が可能となる。
【００２８】
溝部２５０の底部２１４には、第１の光源部３０を取り付ける取付部１２０が設置される。取付部１２０は底部２１４にネジ止めされる。取付部１２０は、バネといった弾性素材で形成されており、本体カバー２０の底部２１４に一端が固定されている。取付部１２０は、第１の光源部３０に設けられた後述する取付金具３５０を固定することにより、第１の光源部３０を本体カバー２０に固定する。図５に示すように、取付部１２０は、底部２１４の長手方向の一端部寄りに取り付けられる。
溝部２５０の底部２１４には、第１の光源部３０に設けられている爪バネ部３７０を引っ掛ける引っ掛け部２６０が配置される。
【００２９】
＜第１の光源部３０＞
図６は、本実施の形態における第１の光源部３０の前面斜視図である。
図７は、本実施の形態における第１の光源部３０の背面斜視図である。
図８は、本実施の形態における第１の光源部３０の分解斜視図である。
第１の光源部３０は、長尺形状をしており、一部が取付開口２１０ａより挿入され収容されることで、本体カバー２０に取り付けられる。第１の光源部３０は、取付開口２１０ａよりやや短く形成されているが、取付開口２１０ａと略同一の長さに形成されていてもよい。
【００３０】
第１の光源部３０は、発光素子３１１が基板３１２に実装された発光部３１０と、発光部３１０が取り付けられるフレーム３２０と、発光部３１０と対向するようにフレーム３２０に取り付けられる長尺形状をしたカバー部３３０と、カバー部３３０の長手方向の両端に設けられたエンドカバー３４０と、引っ掛け部２６０に挿し込まれる爪バネ部３７０とを備える。また、フレーム３２０には、発光部３１０を点灯させるための電力を供給する電源装置２４０と、本体カバー２０に固定されている取付部１２０と係合して第１の光源部３０を本体カバー２０に着脱自在に固定する取付金具３５０とを有している。カバー部３３０およびエンドカバー３４０は、透過性の材料で形成され、発光部３１０からの光を透過する。カバー部３３０およびエンドカバー３４０を透過した光は、所定の方向を照射する。所定の方向として、主にカバー部３３０は上下方向から正面方向へ照射し、エンドカバー３４０は、第１の光源部３０の長手方向へ照射している。
第１の光源部３０は、本体カバー２０に収容された状態で、カバー部３３０が取付開口２１０ａと同面状になるように収容されている。第１の光源部３０は、本体カバー２０に収容された状態において、発光部３１０が取付開口２１０ａよりも内側になるように配置されている。
【００３１】
発光部３１０は、長尺の基板３１２に発光素子３１１が直線上に複数実装されている。なお、複数実装されている列は、１列のものを図示しているが複数列有していても良い。
【００３２】
フレーム３２０は、金属板を折り曲げで形成されており、発光部３１０が取り付けられる載置部３２１と、カバー部３３０を保持するカバー保持部３２３とを有している。なお、金属板を折り曲げて形成するだけでなく、アルミニウム材料といった金属を成型して形成しても良い。
【００３３】
電源装置２４０は、商用電源から供給される電力を発光部３１０が点灯できる所定の電力に変換し供給する。電源装置２４０は、内側に回路基板が内蔵された電源本体部２４１と、電源本体部２４１の入力側に設けられ端子台１３０の端子台接続部１３１と接続する第１入力部２４２と、同じく入力側に設けられセンサ制御ユニット１６０のセンサ接続部と接続する第２入力部２４３と、出力側に設けられ発光部３１０と接続する出力電線２４４を有している。第１入力部２４２と端子台接続部１３１、および、第２入力部２４３とセンサ接続部は、第２孔２１０２を介して着脱可能に接続する。
第１入力部２４２は商用電源からの電力が供給され、第２入力部２４３はセンサ制御ユニット１６０からの制御信号が入力される。
【００３４】
取付金具３５０は、取付部１２０と係合して第１の光源部３０を器具本体１０に固定する。取付金具３５０は、載置部３２１の発光部３１０の反対側に取り付けられている。取付金具３５０は、載置部３２１にネジ止めされる。本実施の形態では、取付金具３５０は、長手方向において電源装置２４０と反対側の端部に設けられている。なお、取付金具３５０は、長手方向において電源装置２４０をはさむよう２つ設けられていてもよい。また、取付部１２０が第１の光源部３０に設けられ、取付金具３５０が器具本体１０に設けられてもよい。第１の光源部３０は、本体カバー２０に着脱可能に取り付けられる。第１の光源部３０の取付工程は次の通りである。工程１として、引っ掛け部２６０に爪バネ部３７０を挿し込む。その後、取付部１２０を弾性変形して取付金具３５０に引っ掛けることにより、第１の光源部３０は本体カバー２０に着脱可能に取り付けられる。工程１の後に、各配線を接続すると良い。
なお、第１の光源部３０は、着脱可能であれば異なる方法で取り付けても良い。
【００３５】
＜第２の光源部＞
第２の光源部４０は、本体カバー２０の斜面部２１１の内側に固定される。図４に示すように、第２の光源部４０は、発光素子４３１を配列させた発光基板４３０と、発光基板４３０を取り付ける取付板４４０と、取付板４４０へ発光熱をより伝えるための放熱シート４５０と、発光基板４３０を取付板４４０に保持する光源保持部材４２０を有する。光源保持部材４２０は、発光基板４３０を取付板４４０に保持するとともに配光制御部材であるレンズ４１０を保持する。
配光制御部材であるレンズ４１０は、少なくとも一部分が、本体カバー２０の斜面部２１１に設けられた開口部２１１ａから見えるように配置される。第２の光源部４０の照射対象範囲は、例えば廊下であれば床面であり、階段であれば踊り場および階段の範囲である。
本実施の形態では、レンズ４１０は略円形状であるが、略楕円形状、四角といった多角形状、あるいは同形状を配列させるような複合形状でもよい。
【００３６】
＊＊＊他の構成＊＊＊
＜変形例１＞
本実施の形態では、点検スイッチ１８０およびインジケータ１９０は斜面部２１１の内側に配置されているが、正面部２１０の化粧板部２３０の内側に配置されていてもよい。すなわち、スイッチ用開口２１１ｂとインジケータ用開口２１１ｃとが化粧板部２３０に形成されていてもよい。また、点検スイッチ１８０とインジケータ１９０が一体となった構造でもよく、その場合はスイッチ用開口２１１ｂとインジケータ用開口２１１ｃとを同一の開口としてもよい。
【００３７】
＜変形例２＞
本実施の形態では、バッテリー１７０は、第１収容部１１において、第１の光源部３０から器具本体１０の長手方向端部にずらした位置に配される。しかし、バッテリー１７０は、第１収容部１１において、第１の光源部３０と本体底面部１１１の間に配されてもよい。この場合は、第１の光源部３０を外すことでバッテリー１７０を着脱することができる。第１の光源部３０と本体底面部１１１の間に配置されていると、照明器具１が天井面のようにバッテリー１７０が外れやすい方向に取り付けられていても、バッテリー１７０の直下には第１の光源部３０が配設されているために、バッテリー１７０の脱落を防ぐことができる。
【００３８】
＜変形例３＞
本実施の形態では、第２の光源部４０として、２つの第２の光源部４０を備えている。しかし、第２の光源部４０は照明器具１に対して単体であってもよく、２つより多い複数であってもよい。
【００３９】
＜変形例４＞
取付部１２０を取り付ける取付金具３５０は、長手方向において電源装置２４０をはさむように２つ設けられていてもよい。このとき、取付金具３５０も取付部に対応して載置部３２１に２つ設けられる。
【００４０】
＊＊＊本実施の形態の効果の説明＊＊＊
本実施の形態に係る照明器具１では、器具本体１０が本体カバー２０と組み合わさると、取付面部５００と略平行な正面部２１０を有する第１収容部１１と、正面部２１０の下側から取付面部５００に向かって傾斜する斜面部２１１を有する第２収容部１２を有する。そして、第１の光源部３０が正面部２１０から突出するように第１収容部１１に配設される。また、第２の光源部４０は、斜面部２１１に斜めに収容される。よって、本実施の形態に係る照明器具１によれば、第１の光源部３０と第２の光源部４０のそれぞれがお互いの光の軌道上に影響を与えずに、より有効に点灯することができる。更に、長手方向において第２の光源部４０が第１の光源部３０より外側にあるので、より影響を与えるのを抑制できる。
【００４１】
常用時の光源および非常用光源が、各々別の部品に固定され器具本体に配置されると、照明器具の構造部品数が増え、組立方法が複雑となる。しかしながら、本実施の形態に係る照明器具１では、本体カバーに第１の光源部と第２の光源部とを取り付けることができ、少ない部品数で簡単に照明器具を組み立てることができる。
【００４２】
通常、照明装置は、部品が収納される器具本体を光源ユニットと同じ高さ（上下方向の寸法）にしようとすると幅方向（壁からの飛び出す方向）が大きくなってしまうとともに、センサを器具本体の外部に設けなくてはいけなかった。一方で、幅方向を小さくしようとすると光源ユニットの上下方向に併設するように器具本体を設けており、上下方向に大きくなるとともに部品を上下に分けて配置しなくてならなかった。
本実施の形態に係る照明器具１では、第１収容部１１には、端子台１３０およびバッテリー１７０といった部品が配設される。また、第２収容部１２には、第２の光源部４０、人感センサ１５０、センサ制御ユニット１６０、および非常用制御ユニット１４０といった部品が収容されるとともに、各部品をつなぐ内部配線を通す空間が配される。よって、本実施の形態に係る照明器具１によれば、照明器具１が大きくなるのを抑制することができる。
【００４３】
なお、本実施の形態では、第１の光源部３０は、取付部１２０、引っ掛け部２６０、取付金具３５０、爪バネ部３７０により着脱可能に取り付けしているが、第１の光源部３０を着脱可能に取り付けすることができるのであれば異なる方法で取り付けても良い。
【００４４】
また、照明器具１は、化粧板部２３０を外すことで、第１の光源部３０を外さなくてもバッテリー１７０を交換することができる。あるいは、第１の光源部３０を外すことによりバッテリー１７０を交換することができるタイプの照明器具１であっても、第１の光源部３０はバネにより固定されていることで引っ張ることで取り外すことができるものであり、工具といった道具を用いずに着脱ができる。よって、本実施の形態に係る照明器具１によれば、容易のバッテリー１７０を交換することができる。
【００４５】
実施の形態１のうち、複数の部分を組み合わせて実施しても構わない。あるいは、この実施の形態のうち、１つの部分を実施しても構わない。その他、この実施の形態を、全体としてあるいは部分的に、どのように組み合わせて実施しても構わない。
なお、上述した実施の形態は、本質的に好ましい例示であって、本発明の範囲、本発明の適用物の範囲、および本発明の用途の範囲を制限することを意図するものではない。上述した実施の形態は、必要に応じて種々の変更が可能である。
【符号の説明】
【００４６】
１  照明器具、１０  器具本体、１１  第１収容部、１２  第２収容部、３０  第１の光源部、４０  第２の光源部、１１０  本体部、１１１  本体底面部、１１１ａ  取付孔、１１１ｂ  電源孔、１１２  上側面部、１１３  下側面部、１２０  取付部、１２２ａ  台取付孔、１３０  端子台、１３１  端子台接続部、１４０  非常用制御ユニット、１５０  人感センサ、１５１  カバー取付台、１６０  センサ制御ユニット、１７０  バッテリー、１８０  点検スイッチ、１８９  取付部材、１９０  インジケータ、２０  本体カバー、２１０  正面部、２１０ａ  取付開口、２１０ｅ  下端部、２１１  斜面部、２１１ａ，２１１ｆ  開口部、２１１ｂ  スイッチ用開口、２１１ｃ  インジケータ用開口、２１０ｄ  作業用開口、２１０１  第１孔、２１０２  第２孔、２１０３  第３孔、２２０  カバー端板、２３０  化粧板部、２３１  取付台、２３２  取付爪、２５０  溝部、２１４  底部、２１２  上面部、２１３  下面部、２４０  電源装置、２４１  電源本体部、２４２  第１入力部、２４３  第２入力部、２４４  出力電線、２６０  引っ掛け部、３１０  発光部、３１１  発光素子、３１２  基板、３２０  フレーム、３２１  載置部、３２３  カバー保持部、３３０  カバー部、３４０  エンドカバー、３５０  取付金具、３６０  脱落防止部材、３７０  爪バネ部、４１０  レンズ、４２０  光源保持部材、４３０  発光基板、４３１  発光素子、４４０  取付板、４５０  放熱シート、５００  取付面部。
【図１】
2019125419.tif 000003
【図２】
2019125419.tif 000004
【図３】
2019125419.tif 000005
【図４】
2019125419.tif 000006
【図５】
2019125419.tif 000007
【図６】
2019125419.tif 000008
【図７】
2019125419.tif 000009
【図８】
2019125419.tif 000010